(57)【要約】      （修正有）【課題】椅子やエクササイズ用の道具として多用途に使用でき、しかも、軽量で縮小化できるボール型チェアを提供する。【解決手段】チェア１０は、空気を充填して膨張化できる台座１１と、空気を充填して膨張化できるボール部１２とを備えている。台座１１とボール部１２とを、カバー１３によって覆って一体的にする。カバー１３は、台座１１を覆う下カバー１３２とボール部１２を覆う上カバー１３２とを合わせ面で縫合して形成する。椅子として形成するチェア１０の組付の際、折り畳んだカバー１３内に空気を抜いた状態の薄板状の台座１１とボール部１２とを挿入して配置する。そして、台座１１とボール部１２に空気を充填して膨張させてチェア１０を形成する。【選択図】図２
0003151140.tif 000002
【実用新案登録請求の範囲】
【請求項１】
弾性状の円環台座と、前記円環台座の中央中空部に一部を挿入する弾性状のボール部と、前記円環台座と前記ボール部とを一体化するように前記円環台座と前記ボール部とを覆うカバーとを備えて構成されていることを特徴とするボール型チェア。
【請求項２】
前記円環台座は内部が中空状に形成され、前記円環台座の一部に空気充填口が形成され、空気を充填することにより膨張可能に形成されていることを特徴とする請求項１記載のボール型チェア。
【請求項３】
前記ボール部は内部が中空状に形成され、前記ボール部の一部に空気充填口が形成され、空気を充填することにより膨張可能に形成されていることを特徴とする請求項１又は２記載のボール型チェア。
【請求項４】
前記カバーは、前記円環台座を覆う第１のカバーと、前記ボール部を覆う第２のカバーと、を縫合して形成されていることを特徴とする請求項１，２又は３のいずれかに記載のボール型チェア。
【請求項５】
前記第２のカバーは、複数の分割カバーを縫合して形成されていることを特徴とする請求項４記載のボール型チェア。
【請求項６】
前記第１のカバーは底面に開口部が形成され、前記円環台座と前記ボール部とは、それぞれ空気が充填されていない状態で、前記開口部から挿入されて前記カバー内に配設され、前記円環台座と前記ボール部に空気を充填することにより、それぞれ前記カバー内で膨張されて形成されてなることを特徴とする請求項４記載のボール型チェア。
【考案の詳細な説明】
【技術分野】
【０００１】
本考案は、ロビースペースやリフレッシュスペース、キッズコーナー又は家庭用インテリアとしても多用途に使用できるスツール感覚のボール型チェアに関する。
【背景技術】
【０００２】
近年、ロビースペースやリフレッシュスペース、キッズコーナーにおいては、背もたれのない椅子がよく見られる。また、エクササイズを用途としたボールを専用台座の上に載せて固定したものも提供されている。例えば、従来においては、伸縮性を有する材料で形成されるとともに着座によって座面部分が利用者の体型に沿って変形する腰掛け具が、特許文献１によって開示されている。これによると、腰掛け具は、床面に載置されるベース台と、このベース台に載置されて伸張性のシート材からなる袋体の内部に発泡ビーズを充填したクッション部と、伸張性のシート材からなりかつクッション部を覆うとともにクッション部をベース台に対して押し付けるカバー部とを備えている。クッション部とカバー部とがいずれも伸張性のシート材から形成されているため、利用者が着座したときの作用力に応じてクッション部のビーズが分散、流動して利用者の体型に沿った形状変化をなすことにより、座り心地を向上できることとなっていた。
【０００３】
また、図８に示すように、ボール２１と、ボール２１を安定化するための固定リング２２を備えたバランスボール２０が、電気通信回線によって開示されている。このバランスボール２０は、ボール２１を使用する際、初心者が安心して利用できるために、固定リング２２で安定させるものであり、固定リング２２に支持されたボール２１に乗ってバランスをとる運動を行うものである。
【先行技術文献】
【特許文献】
【０００４】
【特許文献１】特開２００３−１３５１９１公報
【考案の概要】
【考案が解決しようとする課題】
【０００５】
しかし、特許文献１の腰掛け具は、クッション部を直接床面に接触させないようにベース台を介してフロア等で使用するものであり、椅子専用として使用するものである。この腰掛け具は、持ち運び作業を有利にするために、軽量に形成されているものの、縮小することはできないことから、実際には、持ち運びの際、スペースをとるために持ち運びし難くなっている。また、台座が実質的に変形しない材料で形成されているから、床面との間でクッション性を向上することはできず、この腰掛け具では、腰掛け以外の利用、例えば、エクササイズ用として利用することには適していなかった。
【０００６】
一方、図８に示す、バランスボール２０は、ボール２１が固定リング２２で支持されているものの、ボール２１と固定リング２２とは、分離可能に配置されていることから、あくまで、エクササイズ用として利用するものであって、例えば、椅子として使用することは適していなかった。
【課題を解決するための手段】
【０００７】
本考案は、上述の課題を解決するために、着座して使用する椅子や、エクササイズ用として利用できるクッション性の優れた道具として使用するものであって、軽量で、しかも縮小することができて持ち運びのし易いボール型チェアを提供することを目的とするものである。そのために本考案に係るボール型チェアは、以下のように構成するものである。すなわち、
請求項１記載の考案は、弾性状の円環台座と、前記円環台座の中央中空部に一部を挿入する弾性状のボール部と、前記円環台座と前記ボール部とを一体化するように前記円環台座と前記ボール部とを覆うカバーとを備えて構成されていることを特徴とするものである。
【０００８】
請求項２記載の考案は、請求項１の考案に係るものであって、前記円環台座は内部が中空状に形成され、前記円環台座の一部に空気充填口が形成され、空気を充填することにより膨張可能に形成されていることを特徴としている。
【０００９】
請求項３記載の考案は、請求項１又は２の考案に係るものであって、前記ボール部は内部が中空状に形成され、前記ボール部の一部に空気充填口が形成され、空気を充填することにより膨張可能に形成されていることを特徴としている。
【００１０】
請求項４記載の考案は、請求項１，２又は３のいずれかの考案に係るものであって、前記カバーは、前記円環台座を覆う第１のカバーと、前記ボール部を覆う第２のカバーと、を縫合して形成されていることを特徴としている。
【００１１】
請求項５記載の考案は、請求項４の考案に係るものであって、前記第２のカバーは、複数の分割カバーを縫合して形成されていることを特徴としている。
【００１２】
請求項６記載の考案は、請求項４の考案に係るものであって、前記第１のカバーは底面に開口部が形成され、前記円環台座と前記ボール部とは、それぞれ空気が充填されていない状態で、前記開口部から挿入されて前記カバー内に配設され、前記円環台座と前記ボール部に空気を充填することにより、それぞれ前記カバー内で膨張されて形成されてなることを特徴としている。
【考案の効果】
【００１３】
本考案に係るボール型チェアにおいて、請求項１の考案の構成によれば、ボール型チェアが、弾性を有する円環台座と、円環台座に一部を挿入可能なボール部と、円環台座とボール部とを一体化するために覆うカバーとを備えているから、円環台座とボール部とは、カバーで覆われて分離することなく安定したチェアとして構成することができる。また、円環台座及びボール部とも弾性状に形成されているから、着座する際に、疲労を伴うことなくクッション性を向上できて、座り心地を良好にすることができる。このボール部をカバー内に挿入せず、円環台座から分離することによってエクササイズ用としても利用でき、椅子としての使用と、エクササイズ用の運動器具としての使用等、多用途に使用することができる。
【００１４】
請求項２乃至３の考案によれば、円環台座とボール部とは、空気を充填することによって膨張可能に形成されているから、空気を抜くことによって縮小化することができる。つまり、空気で膨張させているから軽量であり、空気を抜いて縮小化すれば、スペースも小さくできて容易に持ち運ぶことができる。使用する際は、空気挿入口から空気を充填して膨張させることになる。したがって、どこにでも持ち運びすることが可能となる。
【００１５】
請求項４の考案によれば、円環台座を覆う第１のカバーと、ボール部を覆う第２のカバーと、で別々に覆って、それぞれ縫合することによって一体的に連結している。したがって、大きさの異なる円環台座とボール部とを組み合わせて構成することができることから、ボール部を円環台座より大きくしたり、小さくしたりすることができ、大小様々な大きさのボール型チェアを形成することができる。また、第１のカバーに使用者の足が接触するため、汚れの目立たない色、例えば黒色で形成したカバーにすることができる。
【００１６】
請求項５記載の考案によれば、ボール部を覆う第２のカバーを分割して形成することにより、例えば、意匠面の向上を図ることができる。例えば、分割されたカバーの色を変えることによってカラフルになり、また、星型や、月型、あるいはサッカーボールのような五角形や六角形を示す分割体とすることによって、特徴付けられた模様を形成することができる。
【００１７】
さらに請求項６記載の考案によれば、このボール型チェアを持ち運ぶ際、円環台座とボール部との空気を抜いて、薄板状に形成する。カバーの内部に空気を抜いた薄板状の円環台座とボール部を第１のカバーの底部に形成された開口部から挿入して所定の位置に、円環台座上にボール部を載置するようにセットして配置しておく。その後、円環台座とボール部に空気を充填して膨張させると、カバーの範囲内でボール部の一部が円環台座の中空部内に挿入するように組み付けられてボール型チェアを形成することができる。これによって、簡単な作業でボール型チェアを組付けることができるとともに、カバーで円環台座とボール部とを分離させないで一体化することができる。
【図面の簡単な説明】
【００１８】
【図１】本考案の実施形態を示す全体正面図である。
【図２】同断面図である。
【図３】同底面図である
【図４】同平面図である
【図５】カバーの別の形態を示す平面図である。
【図６】本考案のボール型チェアの組付状態を示す組立作用図である。
【図７】ボール型チェアの使用状態を示す正面図である。
【図８】従来のエクササイズ用のバランスボールを示す斜視図である。
【考案を実施するための形態】
【００１９】
次に、本考案のボール型チェアの実施形態について図面に基づいて説明する。
【００２０】
図１は、実施形態のボール型チェア（以下、単にチェアともいう）１０の全体を示すものであり、図２は、その断面を示すものである。チェア１０は、円環台座（以下、単に台座ともいう）１１とボール部１２と、台座１１とボール部１２とを覆うカバー１３とを備えて構成されている。
【００２１】
台座１１は、弾性を有するゴム材で形成され、中央部に中空部１１１を有する円環状に形成されている。実施形態の台座１１は、例えば、車両のタイヤチューブで形成されている。台座１１は、空気を充填することにより膨張可能に形成され、１箇所に空気を充填する空気充填口１１２が形成され、空気充填口１１２に空気充填栓１４が装着されている。
【００２２】
実施形態のボール部１２は、ポリ塩化ビニル製のレザーで弾性を有して形成されるとともに、空気を充填することにより膨張可能に形成され、膨張されて球体を形成する。ボール部１２の一部は、台座１１の中空部１１１内に挿入されて台座１１に支持されている。また、ボール部１２には、１箇所において空気を充填する空気充填口１２１が形成され、空気充填口１２１に空気充填栓１５が装着されている。
【００２３】
実施形態のカバー１３は、例えば、ポリ塩化ビニル製のレザーで形成され、台座１１を覆う第１のカバーとしての下カバー１３１とボール部１２を覆う第２のカバーとしての上カバー１３２とから構成されている。下カバー１３１は台座１１を底面から包むように覆うとともに上面を開口するように形成され、上カバー１３２はボール部１２を上方から包むように覆うとともに下面を開口するように形成されている。下カバー１３１の開口側と上カバー１３２の開口側との合わせ面１６を縫合することによって１つの袋体として形成されている。
【００２４】
また、図３に示すように、下カバー１３１の底面には開口部１３１ａが形成されて、台座１１の空気充填栓１４（図２参照）又は、ボール部１２の空気充填栓１５（図２参照）の着脱及び空気充填・空気排出作業を可能にしている。下カバー１３１を上カバー１３２と別に形成することによって、例えば、下カバー１３１を黒っぽい色に形成すれば、着座する人の靴が触れても汚れを目立たないようにすることができる。さらに下カバー１３１を円周方向に沿って４分割に形成して、それぞれの合わせ面１３１ｂを縫合することによって一体化して形成されている。
【００２５】
上カバー１３２は、円周方向に沿って分割して形成されている。例えば、図４に示すように、実施形態では４分割に形成している。それぞれの合わせ面１３２ｂを縫合することによって一体化して形成されることになる。なお、この４分割されたそれぞれの分割上カバー１３２Ａをそれぞれ異なる色で形成すれば、カラフルな色彩を有して目だったチェアとして形成することができる。また、この上カバーの上部に、特徴ある形状やマークを一つの分割体として形成することができる。例えば、図５に示すように、星型の形状をした分割上カバー１３２Ｂとすることができる。なお、星型でなく、月型や、又はサッカーボールのような五角形あるいは六角形を示す分割体であってもよい。これによって、意匠面を向上して、それぞれの層（若者や老人向け、また男性や女性向け）向けのチェア１０とすることができる。
【００２６】
実施形態の下カバー１３１と上カバー１３２とは、それぞれの合わせ面１６で縫合することから、例えば、台座１１の径がボール部１２の径より小さいものであれば、カバー１３の外径形状が下方を絞るようなスマート感を出すことができる。また、台座１１の径がボール部１２の径より大きいものであれば、末広がり状のチェアとすることができて安定感を出すことができる。
【００２７】
次に、上述のように構成されたチェア１０の組付方法について説明する。
【００２８】
図６（ａ）に示すように、台座１１及びボール部１２に空気を充填しない状態であれば、台座１１とボール部１２は、薄板状弾性体として形成されることとなる。そのため、薄板状弾性体の台座１１及びボール部１２を、下カバー１３１の開口部１３１ａより内部に挿入して底面の裏面側に載置させておく。カバー１３は折り畳まれた状態にある。
【００２９】
この状態で、図６（ｂ）に示すように、まず、台座１１に空気を充填する。この際、用意されたポンプを空気充填栓１４に差込み、台座１１の空気充填口１１２から空気を充填する。台座１１が空気を充填することにより膨張すると、伸張性を有するポリ塩化ビニル製のレザーで形成された下カバー１３１が、台座１１の膨張に伴い、伸張する。
【００３０】
次に、ボール部１２に空気を充填する。この際、台座１１を充填するために使用したポンプを兼用して、空気充填栓１５を取外して空気充填口１２１から空気を充填する。ボール部１２が空気を充填することにより膨張すると、伸張性を有するポリ塩化ビニル製のレザーで形成された上カバー１３２が、ボール部１２の膨張に伴い、上カバー１３２が球体状に伸張して、図２に示すようなチェア１０を形成することになる。台座１１とボール部１２とは、カバー１３で連結された状態にあるから、分離されることがなく一体化されたチェア１０に形成することができる。
【００３１】
そして、このチェア１０を、ロビースペースやリフレッシュススペース、キッズコーナーに配置すると椅子として使用することになる。図７に示すように、このチェア１０に人が着座すると、台座１１とボール部１２が弾性を有しているから、着座する人の体型に合わせて台座１１とボール部１２が変形し、床面に対するクッション性を向上して、身体をリラックスさせることができる。
【００３２】
また、このチェア１０のボール部１２だけを膨張させることができる。つまり、カバー１３に挿入しないで、ボール部１２だけを取り出して、空気充填口１２１より空気を充填すると、ボール部１２が膨張し、エクササイズ用として利用することができる。例えば、このボール部１２に、足を床面から離隔させて腹部を乗せたり、あるいは、仰臥姿勢で足を乗せたりして運動を行う。
【００３３】
エクササイズとして使用する場合には、台座１１を利用することもできる。つまり、カバー１３で覆うことなく、ボール部１２を台座１１の中空部１１１に挿入すると、ボール部１２は、台座１１で支持される。台座１１に空気が充填されているので、台座１１自体も、床面に対して可動することになる。
【００３４】
上述のように、実施形態のチェア１０は、椅子として使用する場合には、折り畳んだカバー１３内に薄板弾性状の台座１１とボール部１２を挿入してセットし、台座１１とボール部１２に空気を充填することによって形成するから、台座１１とボール部１２とは一体的に形成されることとなる。いずれも、空気が充填されているから、クッション性を良好にして、身体をリラックスさせることができる。しかも、軽量であるから持ち運びも容易である。
【００３５】
また、台座１１とボール部１２とをカバー１３で覆うことなく、それぞれ単独で空気を充填すれば、エクスサイズ用として利用することができる。いずれも、空気を充填する際には、一般に販売されている市販のポンプを用意することによって、簡単に膨張させることができるから、どこでも、いつでも使用することができる。
【００３６】
また、台座１１とボール部１２を覆うカバー１３は、それぞれ台座１１を覆う下カバー１３１とボール部１２を覆う上カバー１３２とを縫合して形成するから、台座１１やボール部１２の大きさに合わせた大きさに形成することができる。したがって、台座１１の外径よりボール部１２の外径を大きくすれば、下方を絞るようなスマート感を出すことができ、逆の場合には、末広がり状の安定感を得ることができる。
【００３７】
さらに、上カバー１３２を分割して形成すれば、カラフルな分割上カバー１３２Ａを提供でき、また、星型や月型、あるいは五角形状や六角形状の分割上カバー１３２Ｂにすれば、特徴付けられたデザインを提供でき、いずれも、意匠面を向上することができる。
【００３８】
なお、本考案のボール型チェアは、上述の形態に限定するものではない。例えば、台座は空気を充填して膨張させるようにしているが、カバー内に挿入して膨張できるものであれば、タイヤのチューブでなくても構わない。ボール部１２においても、カバー内に挿入して膨張できるものであれば、材料を問うものではない。
【００３９】
また、下カバー１３１の開口部１３１ａに開閉可能な蓋部を設けてもよい。これにより、開放された状態で、台座１１とボール部１２とに空気を充填する作業を行うことができ、閉じた状態で、台座１１の下部を隠すことができる。
【００４０】
なお、カバー１３で覆われたチェア１０全体を、床面に配置した受け台で支持するように構成してもよい。この受け座は、弾性を有するものであってもよく、堅固に形成されたものであってもよい。
【符号の説明】
【００４１】
１０、ボール型チェア
１１、台座１１
１１１、中空部
１１２、空気充填口
１２、ボール部
１２１、空気充填口
１３、カバー
１３１、下カバー
１３２、上カバー
１３２Ａ、分割上カバー
１６、合わせ面
【図１】
0003151140.tif 000003
【図２】
0003151140.tif 000004
【図３】
0003151140.tif 000005
【図４】
0003151140.tif 000006
【図５】
0003151140.tif 000007
【図６】
0003151140.tif 000008
【図７】
0003151140.tif 000009
【図８】
0003151140.tif 000010